(57)【要約】      （修正有）【課題】放射線発生装置から照射された放射線の線量に対応するＥＩが目標値ＥＩＴに達したか否かの検出を、装置に新たな手段を設けることなく、装置の基本的な構成を利用して行うことが可能な放射線画像撮影装置を提供する。【解決手段】放射線画像撮影装置１の制御手段２２は、走査駆動手段１５から各走査線５にオン電圧を印加して各放射線検出素子７のリセット処理を行わせる。放射線発生装置から放射線の照射を開始する旨の信号を受信すると、各放射線検出素子７のリセット処理を終了させ、走査駆動手段１５から各走査線５にオン電圧を順次印加させて画像データの読み出し処理を開始させる。同時に、放射線発生装置に放射線の照射を許容する旨を通知し、撮影部位ごとに設定される関心領域ＲＯＩ内の放射線検出素子７から読み出した画像データが所定の閾値以上になった時点で、放射線発生装置に対して放射線の照射終了を指示する。【選択図】図２
2015213546.tif 000002
【特許請求の範囲】
【請求項１】
複数の走査線および複数の信号線と、二次元状に配列された複数の放射線検出素子とで構成される検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させ、オフ電圧が印加されると前記放射線検出素子内に電荷を蓄積させるスイッチ素子と、
前記放射線検出素子から放出された前記電荷を画像データに変換して読み出す読み出し回路と、
前記走査駆動手段および前記読み出し回路を制御して前記各放射線検出素子からの前記画像データの読み出し処理を行わせる制御手段と、
を備え、
前記制御手段は、
前記走査駆動手段から前記各走査線にオン電圧を印加して前記各放射線検出素子から電荷を除去する前記各放射線検出素子のリセット処理を行わせ、
放射線発生装置から放射線の照射を開始する旨の信号を受信すると、前記各放射線検出素子のリセット処理を、即座に終了させ、または所定の処理を行った後で終了させ、前記走査駆動手段から前記各走査線にオン電圧を順次印加させて前記画像データの読み出し処理を開始させるとともに、前記放射線発生装置に放射線の照射を許容する旨を通知し、
撮影部位ごとに前記検出部内に設定される関心領域内の前記放射線検出素子から読み出した前記画像データが所定の閾値以上になった時点で、前記放射線発生装置に対して放射線の照射終了を指示することを特徴とする放射線画像撮影装置。
【請求項２】
前記制御手段は、前記走査駆動手段から所定本数の前記走査線ごとにオン電圧を順次印加させて前記画像データの読み出し処理を行わせることを特徴とする請求項１に記載の放射線画像撮影装置。
【請求項３】
複数の走査線および複数の信号線と、二次元状に配列された複数の放射線検出素子とで構成される検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させ、オフ電圧が印加されると前記放射線検出素子内に電荷を蓄積させるスイッチ素子と、
前記放射線検出素子から放出された前記電荷を画像データに変換して読み出す読み出し回路と、
前記走査駆動手段および前記読み出し回路を制御して前記各放射線検出素子からの前記画像データの読み出し処理を行わせる制御手段と、
を備え、
前記制御手段は、
前記走査駆動手段から前記各走査線にオン電圧を印加して前記各放射線検出素子から電荷を除去する前記各放射線検出素子のリセット処理を行わせ、
放射線発生装置から放射線の照射を開始する旨の信号を受信すると、前記各放射線検出素子のリセット処理を、即座に終了させ、または所定の処理を行った後で終了させ、
撮影部位ごとに前記検出部内に設定される関心領域を通る前記走査線のうちの所定の走査線には前記走査駆動手段からオン電圧を順次印加させて前記画像データの読み出し処理を開始させ、前記検出部内の、前記所定の走査線以外の前記各走査線には前記走査駆動手段からオフ電圧を印加させて電荷を蓄積させるとともに、前記放射線発生装置に放射線の照射を許容する旨を通知し、
読み出した前記画像データが所定の閾値以上になった時点で、前記放射線発生装置に対して放射線の照射終了を指示することを特徴とする放射線画像撮影装置。
【請求項４】
前記所定の走査線は、前記検出部上で互いに隣接していない前記走査線が選択されることを特徴とする請求項３に記載の放射線画像撮影装置。
【請求項５】
前記所定の閾値は、撮影部位ごとに設定されることを特徴とする請求項１から請求項４のいずれか一項に記載の放射線画像撮影装置。
【請求項６】
前記制御手段は、
放射線発生装置から放射線の照射を開始する旨の信号を受信すると、前記各放射線検出素子のリセット処理を終了させ、前記画像データの読み出し処理を開始させて、前記各放射線検出素子内で発生する暗電荷に起因するオフセット分に相当するオフセットデータを読み出させた後で、前記放射線発生装置に放射線の照射を許容する旨を通知し、
読み出した前記画像データから前記オフセットデータを減算して算出した真の画像データが所定の閾値以上になった時点で、前記放射線発生装置に対して放射線の照射終了を指示することを特徴とする請求項１から請求項５のいずれか一項に記載の放射線画像撮影装置。
【請求項７】
照射された放射線を光に変換するシンチレーターを備え、
前記スイッチ素子に前記シンチレーターからの光が到達しないように、前記スイッチ素子が遮光されていることを特徴とする請求項１から請求項６のいずれか一項に記載の放射線画像撮影装置。
【請求項８】
前記制御手段は、
前記画像データの読み出し処理において前記走査駆動手段から前記走査線にオン電圧を印加させる直前または直後の全ての前記スイッチ素子がオフ状態とされている時点で前記読み出し回路を制御して、前記スイッチ素子を介して前記放射線検出素子からリークする電荷をリークデータとして読み出すリークデータの読み出し処理を行わせ、
読み出した前記リークデータを、当該走査線に接続された前記各放射線検出素子から読み出された画像データまたはそれに基づいて算出された真の画像データから減算したデータが前記所定の閾値以上になったか否かを判断することを特徴とする請求項１から請求項６のいずれか一項に記載の放射線画像撮影装置。
【請求項９】
前記検出部上の前記各走査線のうち、最初にオン電圧を印加する前記走査線から順に前記走査駆動手段からオン電圧を順次印加して前記画像データの読み出し処理を行い、最後にオン電圧を印加する順番の前記走査線にオン電圧を印加して前記画像データの読み出し処理を行うまでの読み出し処理を１フレーム分の読み出し処理という場合、
前記制御手段は、
撮影部位ごとに前記検出部内に設定される関心領域内の前記放射線検出素子から読み出した前記画像データが所定の閾値以上になった時点以降も前記画像データの読み出し処理を続行し、
当該時点でオン電圧を印加して行った読み出し処理を含む１フレーム分の読み出し処理が終了すると、さらに１フレーム分の読み出し処理を行わせることを特徴とする請求項１に記載の放射線画像撮影装置。
【請求項１０】
請求項９に記載の放射線画像撮影装置と、
前記放射線画像撮影装置で読み出された前記画像データを画像処理して放射線画像を生成する画像処理装置と、
を備え、
前記画像処理装置は、前記放射線画像撮影装置における前記各フレームで読み出された前記各画像データを前記放射線検出素子ごとに加算した値を、当該放射線検出素子の画像データとして前記画像処理を行うことを特徴とする放射線画像撮影システム。
【請求項１１】
請求項３に記載の放射線画像撮影装置と、
前記放射線画像撮影装置で読み出された前記画像データを画像処理して放射線画像を生成する画像処理装置と、
を備え、
前記画像処理装置は、前記放射線画像撮影装置における前記所定の走査線については、当該所定の走査線に接続されている前記各放射線検出素子から読み出された前記画像データを破棄し、前記検出部上で当該所定の走査線の近傍の前記走査線に接続されている前記各放射線検出素子から読み出された前記画像データに基づいて補間した値を、当該所定の走査線に接続されている前記各放射線検出素子から読み出された前記画像データとして前記画像処理を行うことを特徴とする放射線画像撮影システム。
【発明の詳細な説明】
【技術分野】
【０００１】
本発明は、放射線画像撮影装置および放射線画像撮影システムに関する。
【背景技術】
【０００２】
Ｘ線撮影の分野では、従来のスクリーン／フィルムを用いた銀塩写真方式から輝尽性蛍光体シート等を用いたＣＲ（computed radiography）カセッテへの移行によって、アナログによる撮影方法からのデジタル化が図られている。
【０００３】
そして、近年、放射線検出素子を二次元状に配列し、放射線発生装置から照射され被写体を透過した放射線に応じて放射線検出素子内で発生した電荷（電子正孔対）を画像データとして読み取る放射線画像撮影装置（Flat Panel Detector）が種々開発されており、病院等の施設で撮影に用いられるようになっている。そして、近年、放射線検出素子等が形成されたセンサーパネル等を筐体内に収納し、持ち運び可能とした可搬型の放射線画像撮影装置が開発され、実用化されている（例えば特許文献１参照）。
【０００４】
ところで、従来のスクリーン／フィルムを用いた銀塩写真方式の場合、被写体に照射する放射線の線量が少な過ぎると、いわゆる露光不足の状態になり、撮影される放射線画像が全体的に白っぽくなる。また、被写体に照射する放射線の線量が多過ぎると、いわゆる露光過多の状態になり、撮影される放射線画像が全体的に黒っぽくなる。そして、露光不足でもなく露光過多でもなく画像の白黒のコントラストが適切になるような放射線の線量が適正な線量とされ、撮影された画像を見ることで、適正な線量の放射線が照射されたか否かを比較的容易に判断することができた。
【０００５】
それに対し、放射線画像撮影装置の場合、フォトダイオード等で形成される放射線検出素子のダイナミックレンジが広いため、極端な露光不足や露光過多でない限り、得られた画像データに対する画像処理を行うことで、白黒のコントラストが適切な画像を得ることができる。そして、これが撮影に放射線画像撮影装置を用いることのメリットの１つであるが、逆に、そのようなメリットがあるため放射線画像撮影装置で撮影された画像データに基づく放射線画像を見ただけでは、その撮影が露光不足の状態で行われたのか露光過多の状態で行われたのか（すなわち照射された線量の過不足）を把握しづらいという問題があることが分かってきた。
【０００６】
また、近年、撮影の際に、被写体である患者に照射する放射線の線量を減らし、患者が無駄に多くの被曝をしないようにしようという機運が高まっている。そこで、ＩＥＣ（International Electrotechnical Commission）により発行された国際規格ＩＥＣ６２４９４−１  Ｅｄ．１．０ではＥＩ（Exposure Index）やＥＩＴ（Target Exposure Index）等の指標が定義された。
【０００７】
この国際規格では、ＥＩは、検出器（すなわちこの場合は放射線画像撮影装置）への入射線量指標と定義されており、ＥＩＴは、検査項目（すなわち撮影部位等）等ごとの目標とするＥＩ値と定義されている。そして、実際の撮影では、撮影におけるＥＩすなわち被写体を介して放射線画像撮影装置１に入射する放射線の線量が、病院等の施設ごとに予め決められたＥＩＴのうち当該撮影における撮影部位等について決められた目標値であるＥＩＴになるように、放射線発生装置から放射線が照射されて撮影が行われることになる。
【先行技術文献】
【特許文献】
【０００８】
【特許文献１】特開平６−３４２０９９号公報
【発明の概要】
【発明が解決しようとする課題】
【０００９】
ところで、これを実現するためには、撮影ごとに、放射線発生装置から放射線画像撮影装置に実際にどれだけのＥＩすなわち線量の放射線が照射されたかを検出することが必要になる。しかし、上記の国際規格（ＩＥＣ６２４９４−１  Ｅｄ．１．０）の定義では、放射線画像においてＥＩを算出する際に関心領域（例えば後述する図８や図１３のＲＯＩ参照）を設定し、その関心領域内においてＥＩが算出される。なお、この定義においては、放射線画像においてＥＩを算出するための関心領域の選定等の仕方は放射線画像撮影装置のメーカーに委ねられている。
【００１０】
そして、関心領域におけるＥＩを算出するために、例えば、放射線画像撮影装置に線量計を取り付けることも考えられなくはないが、通常、関心領域は、撮影部位ごとに画像中に設定される位置が変わる。そして、設定され得る関心領域ごとに（すなわち各関心領域に対応する装置内の位置ごとに）それぞれ線量計を取り付けるのは、あまり現実的とは言い難い。
【００１１】
そのため、放射線発生装置から放射線画像撮影装置に対して照射された放射線の線量に対応する上記のＥＩが目標値ＥＩＴに達したか否かの検出を、線量計等の新たな手段を設けない、放射線画像撮影装置の基本的な構成の下で行うように構成することが望ましい。
【００１２】
本発明は、上記の点を鑑みてなされたものであり、放射線発生装置から照射された放射線の線量に対応するＥＩが目標値ＥＩＴに達したか否かの検出を、装置に新たな手段を設けることなく、装置の基本的な構成を利用して行うことが可能な放射線画像撮影装置を提供することを目的とする。
【００１３】
また、放射線画像撮影装置をこのように構成すると、後述するように、放射線画像撮影装置で得られた画像データに基づく放射線画像の生成処理の際に、放射線画像撮影装置で採用される線量の検出方法に対応する画像処理を行うことが必要になる。
【００１４】
そこで、本発明は、上記の放射線画像撮影装置により得られた画像データに対して適切な画像処理を行って、放射線画像を適切に生成することが可能な放射線画像撮影システムを提供することをも目的とする。
【課題を解決するための手段】
【００１５】
前記の問題を解決するために、本発明の放射線画像撮影装置は、
複数の走査線および複数の信号線と、二次元状に配列された複数の放射線検出素子とで構成される検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させ、オフ電圧が印加されると前記放射線検出素子内に電荷を蓄積させるスイッチ素子と、
前記放射線検出素子から放出された前記電荷を画像データに変換して読み出す読み出し回路と、
前記走査駆動手段および前記読み出し回路を制御して前記各放射線検出素子からの前記画像データの読み出し処理を行わせる制御手段と、
を備え、
前記制御手段は、
前記走査駆動手段から前記各走査線にオン電圧を印加して前記各放射線検出素子から電荷を除去する前記各放射線検出素子のリセット処理を行わせ、
放射線発生装置から放射線の照射を開始する旨の信号を受信すると、前記各放射線検出素子のリセット処理を、即座に終了させ、または所定の処理を行った後で終了させ、前記走査駆動手段から前記各走査線にオン電圧を順次印加させて前記画像データの読み出し処理を開始させるとともに、前記放射線発生装置に放射線の照射を許容する旨を通知し、
撮影部位ごとに前記検出部内に設定される関心領域内の前記放射線検出素子から読み出した前記画像データが所定の閾値以上になった時点で、前記放射線発生装置に対して放射線の照射終了を指示することを特徴とする。
【００１６】
また、本発明の放射線画像撮影システムは、
上記の放射線画像撮影装置と、
前記放射線画像撮影装置で読み出された前記画像データを画像処理して放射線画像を生成する画像処理装置と、
を備え、
前記画像処理装置は、前記放射線画像撮影装置における前記各フレームで読み出された前記各画像データを前記放射線検出素子ごとに加算した値を、当該放射線検出素子の画像データとして前記画像処理を行うことを特徴とする。
【００１７】
また、本発明の放射線画像撮影装置は、
複数の走査線および複数の信号線と、二次元状に配列された複数の放射線検出素子とで構成される検出部と、
前記各走査線にオン電圧とオフ電圧とをそれぞれ切り替えて印加する走査駆動手段と、
前記各走査線に接続され、オン電圧が印加されると前記放射線検出素子に蓄積された電荷を前記信号線に放出させ、オフ電圧が印加されると前記放射線検出素子内に電荷を蓄積させるスイッチ素子と、
前記放射線検出素子から放出された前記電荷を画像データに変換して読み出す読み出し回路と、
前記走査駆動手段および前記読み出し回路を制御して前記各放射線検出素子からの前記画像データの読み出し処理を行わせる制御手段と、
を備え、
前記制御手段は、
前記走査駆動手段から前記各走査線にオン電圧を印加して前記各放射線検出素子から電荷を除去する前記各放射線検出素子のリセット処理を行わせ、
放射線発生装置から放射線の照射を開始する旨の信号を受信すると、前記各放射線検出素子のリセット処理を、即座に終了させ、または所定の処理を行った後で終了させ、
撮影部位ごとに前記検出部内に設定される関心領域を通る前記走査線のうちの所定の走査線には前記走査駆動手段からオン電圧を順次印加させて前記画像データの読み出し処理を開始させ、前記検出部内の、前記所定の走査線以外の前記各走査線には前記走査駆動手段からオフ電圧を印加させて電荷を蓄積させるとともに、前記放射線発生装置に放射線の照射を許容する旨を通知し、
読み出した前記画像データが所定の閾値以上になった時点で、前記放射線発生装置に対して放射線の照射終了を指示することを特徴とする。
【００１８】
また、本発明の放射線画像撮影システムは、
上記の放射線画像撮影装置と、
前記放射線画像撮影装置で読み出された前記画像データを画像処理して放射線画像を生成する画像処理装置と、
を備え、
前記画像処理装置は、前記放射線画像撮影装置における前記所定の走査線については、当該所定の走査線に接続されている前記各放射線検出素子から読み出された前記画像データを破棄し、前記検出部上で当該所定の走査線の近傍の前記走査線に接続されている前記各放射線検出素子から読み出された前記画像データに基づいて補間した値を、当該所定の走査線に接続されている前記各放射線検出素子から読み出された前記画像データとして前記画像処理を行うことを特徴とする。
【発明の効果】
【００１９】
本発明のような方式の放射線画像撮影装置によれば、放射線発生装置から照射された放射線の線量に対応するＥＩが目標値ＥＩＴに達したか否かの検出を、放射線画像撮影装置に線量計等の新たな手段を設けることなく、放射線画像撮影装置の基本的な構成を利用して行うことが可能となる。
【００２０】
そして、このようにして、放射線発生装置から照射された放射線の線量に対応するＥＩが目標値ＥＩＴに達した時点で、放射線発生装置からの放射線の照射が的確に停止されるため、国際規格ＩＥＣ６２４９４−１  Ｅｄ．１．０に則った撮影を行うことが可能となり、被写体である患者に照射する放射線の線量を的確に低減し、かつ、当該撮影で得られた画像データに基づいて適切な放射線画像を生成することが可能となる。
【００２１】
また、本発明のような方式の放射線画像撮影システムによれば、上記の放射線画像撮影装置により得られた画像データに対して適切な画像処理を行って、放射線画像を適切に生成することが可能となる。
【図面の簡単な説明】
【００２２】
【図１】放射線画像撮影装置の断面図である。
【図２】放射線画像撮影装置の等価回路を表すブロック図である。
【図３】放射線画像撮影システムの構成例を示す図である。
【図４】各放射線検出素子のリセット処理において各走査線にオン電圧を印加するタイミング等を表すタイミングチャートである。
【図５】第１の実施形態における画像データＤの読み出し処理において各走査線にオン電圧を印加するタイミング等を表すタイミングチャートである。
【図６】算出された画像データＤの統計値Ｄstの時間的推移および目標統計値ＤstＴを表すグラフである。
【図７】撮影部位と目標統計値ＤstＴ等の情報とを対応付けるテーブルの例を表す図である。
【図８】放射線画像や放射線画像撮影装置の検出部に設定される関心領域の例や走査線の位置等を表す図である。
【図９】（Ａ）、（Ｂ）関心領域内の走査線にオン電圧が印加されて読み出された画像データＤの統計値Ｄstの例を表すグラフである。
【図１０】画像データＤの読み出し処理の際に所定本数の走査線５ごとにオン電圧を順次印加するように構成した場合に各走査線にオン電圧を印加するタイミングを表すタイミングチャートである。
【図１１】オフ状態のＴＦＴを介して各放射線検出素子からそれぞれ電荷が信号線にリークすること等を表す図である。
【図１２】ある走査線にオン電圧が印加されて放射線検出素子から電荷Ｑが信号線に放出される際にも他の各放射線検出素子からオフ状態のＴＦＴを介して電荷が信号線にリークしていること等を表す図である。
【図１３】第２の実施形態において関心領域を通る走査線の中から選択された所定の走査線の例を表す図である。
【図１４】走査線５のラインＬ３、Ｌ６、Ｌ９が所定の走査線として選択された場合に撮影時に各走査線にオン電圧を印加するタイミング等を表すタイミングチャートである。
【図１５】（Ａ）所定の走査線に対応する画素部分を線欠陥として扱うことを説明する図であり、（Ｂ）連続して生じた線欠陥の例を表す図である。
【発明を実施するための形態】
【００２３】
以下、本発明に係る放射線画像撮影装置および放射線画像撮影システムの実施の形態について、図面を参照して説明する。
【００２４】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００２５】
また、以下では、センサーパネルが筐体内に収納されて持ち運び可能とされた、いわゆる可搬型の放射線画像撮影装置の場合について説明するが、例えば従来の、支持台等と一体的に形成された、いわゆる専用機型（固定型等ともいう。）の放射線画像撮影装置に対しても、本発明を適用することが可能である。
【００２６】
［放射線画像撮影装置］
本実施形態に係る放射線画像撮影装置の基本的な構成等について説明する。図１は、本実施形態に係る放射線画像撮影装置の断面図である。本実施形態では、放射線画像撮影装置１は、図１に示すように、放射線が照射される側の面である放射線入射面Ｒを有する筐体２内に、シンチレーター３やセンサー基板４等で構成されるセンサーパネルＳＰが収納されて構成されている。また、図１では図示を省略するが、本実施形態では、筐体２には、その側面等に、データや信号等を外部装置との間で無線方式で送受信するためのアンテナや、接続された図示しないケーブル等を介して有線方式で送受信するためのコネクター等が設けられている。
【００２７】
図１に示すように、筐体２内には、基台３１が配置されており、基台３１の放射線入射面Ｒ側（以下、簡単に図中の上下方向にあわせて上面側等という。）に図示しない鉛の薄板等を介してセンサー基板４が設けられている。そして、センサー基板４の上面側に、照射された放射線を可視光等の光に変換するシンチレーター３を支持するシンチレーター基板３４が、シンチレーター３がセンサー基板４に対向する状態で配置されている。
【００２８】
一方、基台３１の下面側には、電子部品３２等が配設されたＰＣＢ基板３３やバッテリー２４等が取り付けられている。このようにして、基台３１やセンサー基板４等でセンサーパネルＳＰが形成されている。また、本実施形態では、センサーパネルＳＰと筐体２の側面との間に緩衝材３５が設けられている。
【００２９】
次に、放射線画像撮影装置１の回路構成について説明する。図２は本実施形態に係る放射線画像撮影装置１の等価回路を表すブロック図である。本実施形態では、センサー基板４はガラス基板で構成されており、センサー基板４の上面（すなわちシンチレーター３（図１参照）に対向する面）上に、複数の走査線５と複数の信号線６とが互いに交差するように配設されており、複数の放射線検出素子７が二次元状（マトリクス状）に配列されている。本実施形態では、放射線検出素子７はフォトダイオードが用いられているが、例えばフォトトランジスター等を用いることも可能である。そして、図２に示すように、複数の走査線５や複数の信号線６と二次元状に配列された複数の放射線検出素子７とが構成された領域が検出部Ｐとされる。
【００３０】
各放射線検出素子７の第１電極７ａには、スイッチ素子である薄膜トランジスター（Thin Film Transistor。以下、ＴＦＴという。）８のソース電極８ｓ（図２の「Ｓ」参照）が接続されている。また、ＴＦＴ８のドレイン電極８ｄおよびゲート電極８ｇ（図２の「Ｄ」および「Ｇ」参照）は信号線６および走査線５にそれぞれ接続されている。
【００３１】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させる。また、走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００３２】
また、本実施形態では、図２に示すように、センサー基板４上で１列の各放射線検出素子７ごとに１本の割合で各放射線検出素子７の第２電極７ｂにそれぞれバイアス線９が接続されている。そして、各バイアス線９は結線１０に接続され、結線１０はバイアス電源１４に接続されており、バイアス電源１４から結線１０や各バイアス線９を介して各放射線検出素子７の第２電極７ｂに逆バイアス電圧が印加されるようになっている。
【００３３】
一方、走査駆動手段１５では、配線１５ｃを介して電源回路１５ａからゲートドライバー１５ｂにオン電圧とオフ電圧が供給されるようになっており、ゲートドライバー１５ｂで走査線５の各ラインＬ１〜Ｌｘに印加する電圧をオン電圧とオフ電圧との間でそれぞれ切り替えるようになっている。
【００３４】
また、各信号線６は、各入出力端子１１を介して読み出しＩＣ１６内に内蔵された各読み出し回路１７にそれぞれ接続されている。本実施形態では、読み出し回路１７は、主に増幅回路１８と相関二重サンプリング回路１９等で構成されている。読み出しＩＣ１６内には、さらに、アナログマルチプレクサー２１と、Ａ／Ｄ変換器２０とが設けられている。なお、図２では、相関二重サンプリング回路１９はＣＤＳと表記されている。
【００３５】
そして、各放射線検出素子７のリセット処理の際には、走査駆動手段１５から走査線５の各ラインＬ１〜Ｌｘにオン電圧を順次印加し、オン状態とされたＴＦＴ８を介して各放射線検出素子７から電荷を信号線６に放出させ、読み出し回路１７やその下流に電荷を流出させることで、各放射線検出素子７内に残存する電荷が各放射線検出素子７内から除去される。なお、走査駆動手段１５から走査線５の各ラインＬ１〜Ｌｘにオン電圧を一斉に（すなわち各ライン同時に）印加して、各放射線検出素子７のリセット処理を行うように構成することも可能である。
【００３６】
また、各放射線検出素子７からの画像データＤの読み出し処理の際には、走査駆動手段１５から走査線５の各ラインＬ１〜Ｌｘにオン電圧を順次印加し、オン状態とされたＴＦＴ８を介して各放射線検出素子７から信号線６に放出された電荷を読み出し回路１７の増幅回路１８でその電荷量に応じた電圧値に変換して出力する。実際には、本実施形態では、読み出し回路１７の増幅回路１８の部分は、後述する図１１等に示すように、オペアンプ１８ａとコンデンサー１８ｂとが並列に接続された、いわゆるチャージアンプとして構成されており、各放射線検出素子７から放出された電荷が増幅回路１８のコンデンサー１８ｂに蓄積されると、オペアンプ１８ａが蓄積された電荷量に対応する電圧値を出力するようになっている。
【００３７】
そして、読み出し回路１７の相関二重サンプリング回路１９は、各放射線検出素子７から電荷が増幅回路１８（実際には増幅回路１８のコンデンサー１８ｂ）に流れ込む前および後に後述する制御手段２２から送信されてくるパルス信号に基づいて、各放射線検出素子７から電荷が流れ込む前後に読み出し回路１７から出力される電圧値をそれぞれ保持し、それらの差分をアナログ値の画像データＤとして下流側に出力する。
【００３８】
このようにして、各読み出し回路１７から出力されたアナログ値の各画像データＤがアナログマルチプレクサー２１を介してＡ／Ｄ変換器２０に順次送信され、Ａ／Ｄ変換器２０でデジタル値の画像データＤに順次変換されて記憶手段２３に出力されて順次保存される。このようにして画像データＤの読み出し処理が行われるようになっている。なお、各放射線検出素子７のリセット処理の際には、増幅回路１８のコンデンサー１８ｂ（図１１等参照）の両電極が図示しないスイッチにより短絡されるようになっている。
【００３９】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００４０】
そして、制御手段２２は、走査駆動手段１５や読み出し回路１７を制御して上記のように画像データＤの読み出し処理を行わせるなど、放射線画像撮影装置１の各機能部の動作等を制御するようになっている。また、図２に示すように、制御手段２２には、ＳＲＡＭ（Static ＲＡＭ）やＳＤＲＡＭ（Synchronous ＤＲＡＭ）等で構成される記憶手段２３が接続されている。
【００４１】
また、本実施形態では、制御手段２２には、前述したアンテナ４１やコネクター３９等が接続された通信手段４０が接続されており、制御手段２２により制御された通信手段４０により、アンテナ４１やコネクター３９を介して外部装置との間で無線方式や有線方式でデータや信号等の送受信を行うようになっている。さらに、制御手段２２には、走査駆動手段１５や読み出し回路１７、記憶手段２３、バイアス電源１４等の各機能部に必要な電力を供給するバッテリー２４等が接続されている。
【００４２】
なお、放射線画像撮影装置１では、後述する放射線発生装置５５の放射線源５２から被写体を介して放射線が照射されて放射線画像が行われると、撮影後、上記のようにして画像データＤの読み出し処理が行われるが、通常、撮影の前や後に、放射線発生装置５５から放射線を照射しない状態で、上記の画像データＤの読み出し処理と同じシーケンスで各ＴＦＴ８をオン／オフさせ、読み出し回路１７等の読み出し動作を行わせて、オフセットデータＯの読み出し処理が行われる。
【００４３】
このオフセットデータＯは、上記のようにして読み出される画像データＤに重畳されている、各放射線検出素子７内で発生する暗電荷（暗電流等ともいう。）に起因するオフセット分に対応するデータであり、後の画像処理において、画像データＤからオフセットデータＯを減算することで、放射線の照射により各放射線検出素子７内で発生した電荷にのみ起因する、いわゆる真の画像データＤ＊を算出するために用いられるデータである。
【００４４】
［放射線画像撮影システム］
次に、本実施形態に係る放射線画像撮影装置１が用いられる放射線画像撮影システム５０の構成例等について簡単に説明する。図３は、本実施形態に係る放射線画像撮影システム５０の構成例を示す図である。図３では、放射線画像撮影システム５０が撮影室Ｒ１内等に構築されている場合が示されている。
【００４５】
撮影室Ｒ１には、ブッキー装置５１が設置されており、ブッキー装置５１は、そのカセッテ保持部（カセッテホルダーやブッキー等ともいう。）５１ａに上記の放射線画像撮影装置１を装填して用いることができるようになっている。なお、図３では、ブッキー装置５１として、立位撮影用のブッキー装置５１Ａと臥位撮影用のブッキー装置５１Ｂが設置されている場合が示されている。
【００４６】
図３に示すように、撮影室Ｒ１には、被写体を介してブッキー装置５１に装填された放射線画像撮影装置１に放射線を照射する放射線発生装置５５の放射線源５２が少なくとも１つ設けられている。また、撮影室Ｒ１には、撮影室Ｒ１内の各装置等や撮影室Ｒ１外の各装置等の間の無線方式や有線方式での通信等を中継するための中継器５４が設けられている。なお、本実施形態では、中継器５４には、放射線画像撮影装置１が無線方式で画像データＤや信号等の送受信を行うことができるように、アクセスポイント５３が設けられている。
【００４７】
また、中継器５４は、放射線発生装置５５やコンソール５８とも接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。
【００４８】
前室（操作室等ともいう。）Ｒ２には、放射線発生装置５５の操作卓５７が設けられており、操作卓５７には、放射線技師等の操作者が操作して放射線発生装置５５に対して放射線の照射開始等を指示するための曝射スイッチ５６が設けられている。曝射スイッチ５６には、図示しないボタンが設けられており、放射線技師等の操作者が曝射スイッチ５６のボタンに対して１段目の操作（すなわちいわゆる半押し操作）を行うと、放射線発生装置５５は放射線源５２を起動させて放射線を照射することができる状態にする。
【００４９】
そして、操作者が曝射スイッチ５６のボタンに対して２段目の操作（すなわちいわゆる全押し操作）を行うと、放射線発生装置５５は、放射線画像撮影装置１に放射線の照射を開始する旨の信号（以下、照射開始信号という。）を送信し、それに応じて放射線画像撮影装置１からインターロック解除信号が送信されてくると、その時点で放射線源５２から放射線を照射させるようになっている。
【００５０】
また、放射線発生装置５５は、後述するように、放射線画像撮影装置１から放射線の照射終了を指示する信号が送信されてくると、直ちに放射線源５２からの放射線の照射を停止させるようになっている。なお、放射線発生装置５５は、放射線源５２から適切な線量の放射線が照射されるように、放射線源５２に対して管電流や照射時間等を設定するなど種々の制御を行うようになっている。
【００５１】
また、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、適宜の場所に設置される。コンソール５８には、ＣＲＴ（Cathode Ray Tube）やＬＣＤ（Liquid Crystal Display）等を備えて構成される表示部５８ａが設けられており、また、図示しないマウスやキーボード等の入力手段を備えている。また、コンソール５８には、ＨＤＤ（Hard  Disk Drive）等で構成された記憶手段５９が接続され、或いは内蔵されている。
【００５２】
また、本実施形態では、コンソール５８が、放射線画像撮影装置１で得られた画像データＤ等に基づいて放射線画像を生成するための画像処理装置として機能するようになっているが、画像処理装置を、コンソール５８とは別体の装置として構成することも可能である。なお、以下、コンソール５８が画像処理装置として機能する場合には、画像処理装置５８として説明する。また、画像処理装置５８における放射線画像の生成処理については後で説明する。
【００５３】
また、上記のように、放射線画像撮影装置１をブッキー装置５１に装填して撮影に用いる代わりに、図示を省略するが、可搬型の放射線画像撮影装置１を、患者の身体にあてがったり、ベッドと患者の身体との間に挿入する等して、ブッキー装置５１に装填されないいわば単独の状態で撮影に用いることも可能である。
【００５４】
そして、この場合は、上記のような撮影室Ｒ１に据え付けられた放射線発生装置５５の代わりに、例えば、放射線源５２や曝射スイッチ５６等を含む放射線発生装置５５やコンソール５８、中継器５４、アクセスポイント５３等の必要な機器を搭載した回診車を、放射線画像撮影装置１等とともに撮影場所に持ち込んで撮影を行うように構成される。
【００５５】
本発明は、図３に示したように放射線画像撮影システム５０が撮影室Ｒ１内等に構築されている場合も、或いは回診車に搭載される形で構築されている場合も、いずれも場合にも適用される。
【００５６】
［目標値ＥＩＴの決め方について］
次に、放射線画像撮影装置１における本発明に特有の構成等について説明する。前述したように、放射線画像撮影においては、国際規格ＩＥＣ６２４９４−１  Ｅｄ．１．０で定義されるＥＩ（前述したように被写体の撮影部位について設定される関心領域ＲＯＩ（region of interest。後述する図８参照）に照射される放射線の線量に相当）が予め決められた目標値ＥＩＴになるように、放射線発生装置５５から放射線を照射させて撮影を行うことが求められている。
【００５７】
目標値ＥＩＴは、病院等の施設が予め決めることになっているが、その具体的な決め方は、以下のようになると考えられている。すなわち、
（１）予め撮影部位ごとに放射線画像中のどの画素位置（すなわち画素の範囲）に関心領域ＲＯＩを設定するかを決める。この撮影部位ごとの関心領域ＲＯＩの設定は放射線画像撮影装置のメーカーが行う。なお、放射線画像中に関心領域ＲＯＩが設定されると、放射線画像撮影装置１側でも、検出部Ｐ（図２参照）内に、放射線画像中の関心領域ＲＯＩ内の各画素に対応する各放射線検出素子７の範囲が決まる。そのため、以下、この放射線画像中の関心領域ＲＯＩに対応する検出部Ｐ内の放射線検出素子７の範囲も関心領域ＲＯＩという。
【００５８】
（２）病院等の施設が、予め、撮影部位（例えば胸部正面や腹部正面等の体幹部や手指や脚等の末梢部）ごとに、撮影条件（管電圧［ｋＶ］や管電流［ｍＡ］、照射時間［ｍｓ］、ＳＩＤ（Source Image receptor Distance。すなわち放射線源５２の焦点と放射線画像撮影装置１とセンサー基板４上の検出部Ｐとの距離）［ｍ］等）を適切な条件に設定する。
【００５９】
（３）上記の撮影条件の下で、対応する被写体の撮影部位に放射線を照射する。
（４）各放射線検出素子７から画像データＤを読み出し、前述したようにオフセットデータＯも読み出し、画像処理装置５８で画像データＤとオフセットデータＯに基づいて放射線検出素子７ごとに真の画像データＤ＊を算出し、これらの真の画像データＤ＊に対してゲイン補正や欠陥画素補正、撮影部位に応じた階調処理等の精密な画像処理を行って放射線画像を生成する。
【００６０】
（５）生成した放射線画像に対して、その撮影部位に応じて上記のようにして予め設定されている関心領域ＲＯＩを設定する。
（６）関心領域ＲＯＩ内の各画素の画素値から統計値を算出する。この統計値は、例えば平均値や中間値、最頻値等として定めることが可能であり、例えば、関心領域ＲＯＩ内の各画素の画素値をヒストグラムに投票し、その投票結果から上記の統計値を算出することができる。
【００６１】
（７）算出した統計値を放射線の線量に変換し、それに対応するＥＩを算出し、算出したＥＩを当該撮影部位に対応するＥＩＴとして決定する。なお、この場合、ＥＩは、ＲＱＡ５線質、空気カーマ１ｕＧｙの条件で１００になるように計算される。
そして、上記の目標値ＥＩＴの算出を撮影部位ごとに行うことで、病院等の施設で予め決めておくことになる。
【００６２】
［本発明に特有の構成等について］
しかし、例えば撮影部位として腹部正面の撮影を行う場合、患者が太っていると、標準的な体型の患者に対して設定された撮影条件（すなわち管電圧や照射時間等）では撮影を適切に行うことができず、例えば管電圧をより高くする等して撮影を行う場合がある。このように、同じ撮影部位を撮影する場合でも、撮影ごとの撮影条件が、目標値ＥＩＴを決定する際の撮影条件と必ずしも同じ撮影条件であるとは限らない。
【００６３】
そのため、上記のように放射線発生装置５５から照射される放射線の線量に相当するＥＩを上記のようにして予め決められた目標値ＥＩＴになるように放射線発生装置５５から放射線を照射させて撮影を行うということは、実際の撮影に即して言えば、結局、放射線発生装置５５から照射される放射線の線量に対応するＥＩが目標値ＥＩＴに達した時点で、放射線発生装置５５からの放射線の照射を停止するように構成することになる。
【００６４】
そして、これを実現するためには、放射線画像撮影装置１で、放射線発生装置５５から照射された放射線の線量に対応するＥＩが目標値ＥＩＴに達したか否かを検出するように構成することが必要になる。
【００６５】
ＥＩが目標値ＥＩＴに達したか否かを検出するように構成するために、例えば、放射線画像撮影装置１に線量計を取り付けることが考えられる。しかし、上記のように撮影部位ごとに関心領域ＲＯＩが設定され、放射線画像上に設定される関心領域ＲＯＩは、その画素位置や大きさ（範囲）は撮影部位ごとに異なる。そのような場合に、関心領域ＲＯＩごとに、すなわち各関心領域ＲＯＩに対応する放射線画像撮影装置１内における関心領域ＲＯＩごとに、線量計をそれぞれ設けるのは必ずしも現実的とは言えない。
【００６６】
そのため、放射線画像撮影装置１に新たに線量計を取り付けるのではなく、上記で説明した放射線画像撮影装置１の基本的な構成を利用して、照射された放射線の線量に対応する各関心領域ＲＯＩ内におけるＥＩがＥＩＴに達したか否かの検出を行うように構成することが望ましい。そして、本発明者が研究を重ねた結果、このように線量計等の新たな機器等を取り付けずに放射線画像撮影装置１の基本的な構成を利用してＥＩが目標値ＥＩＴに達したか否かの検出を行うための構成を見出すことができた。
【００６７】
以下では、本発明者が見出した構成のうち、２つの構成について、実施形態を分けて説明する。また、各実施形態に係る放射線画像撮影装置１や放射線画像撮影システム５０の作用についてもあわせて説明する。
【００６８】
［第１の実施の形態］
［構成の原理について］
まず、放射線画像撮影装置１の基本的な構成を利用して放射線発生装置５５から照射された放射線に対応するＥＩが目標値ＥＩＴに達したか否かを検出するための第１の実施形態に係る放射線画像撮影装置１の構成の原理について説明する。本実施形態では、放射線発生装置５５からの放射線の照射中に放射線画像撮影装置１で前述した画像データＤの読み出し処理を行い、読み出した画像データＤに基づいて、照射された放射線の線量に対応するＥＩが目標値ＥＩＴに達したか否かを検出するようになっている。以下、具体的に説明する。
【００６９】
この場合、放射線画像撮影装置１の制御手段２２は、コンソール５８（図３参照）から、これから行う撮影に関する撮影部位等の情報が送信されてくると、その撮影部位に対応する関心領域ＲＯＩを検出部Ｐ（図２参照）上に設定する。すなわち、撮影部位に対応して放射線画像上に設定される関心領域ＲＯＩの画素位置に対応する検出部Ｐ内の各放射線検出素子の位置に関心領域ＲＯＩを設定する（後述する図７における「関心領域ＲＯＩ」参照）。なお、この撮影部位に対応する関心領域ＲＯＩとしての検出部Ｐ内の各放射線検出素子の位置の情報をコンソール５８から送信するように構成することも可能である。
【００７０】
そして、制御手段２２は、撮影前（すなわち放射線発生装置５５からの放射線の照射が開始される前）に、走査駆動手段１５のゲートドライバー１５ｂ（図２参照）から走査線５の各ラインＬ１〜Ｌｘにオン電圧を印加して、前述した各放射線検出素子７のリセット処理を行わせる。その際、図４に示すように走査駆動手段１５から走査線５の各ラインＬ１〜Ｌｘにオン電圧を順次印加して各放射線検出素子７のリセット処理を行うように構成することも可能であり、また、図示を省略するが、走査駆動手段１５から走査線５の各ラインＬ１〜Ｌｘにオン電圧を一斉に印加して各放射線検出素子７のリセット処理を行うように構成することも可能である。
【００７１】
なお、図４や後述する図５等におけるフレームとは、放射線画像撮影装置１の検出部Ｐ（図２参照）そのものや検出部Ｐ上の全走査線５（すなわちいわゆる１フレーム分の走査線５）を表す文言であり、図４において、１フレーム分のリセット処理Ｒｆとは、走査駆動手段１５から検出部Ｐ上の各走査線５にオン電圧を順次印加して各放射線検出素子７のリセット処理を行うことを意味する。そして、本実施形態では、この１フレーム分のリセット処理Ｒｆを繰り返し行うことで各放射線検出素子７のリセット処理を行うようになっている。
【００７２】
制御手段２２は、続いて、前述したように放射線技師等の操作者が放射線発生装置５５から放射線を照射させるために曝射スイッチ５６（図３参照）のボタンを全押し（すなわち前述した２段目の操作）して放射線発生装置５５から送信された放射線の照射を開始する旨の信号すなわち照射開始信号を受信すると、例えばその時点で行っている１フレーム分のリセット処理Ｒｆ（図４参照）を最後まで行った後で（すなわち走査線５の最終ラインＬｘにオン電圧を印加するまで行った後で）各放射線検出素子７のリセット処理を終了させる。
【００７３】
また、このように各放射線検出素子７のリセット処理を、その時点で行っている１フレーム分のリセット処理Ｒｆを最後まで行う等の所定の処理を行った後で終了させる代わりに、１フレーム分のリセット処理Ｒｆを行っている最中であっても、放射線発生装置５５からの照射開始信号を受信した時点で即座に各放射線検出素子７のリセット処理を終了するように構成することも可能である。
【００７４】
そして、制御手段２２は、このようにして各放射線検出素子７のリセット処理を終了すると、続いて、例えば図５に示すように、走査駆動手段１５から走査線５の各ラインＬ１〜Ｌｘにオン電圧を順次印加させて画像データＤの読み出し処理を開始させる。また、それとともに、放射線発生装置５５に放射線の照射を許容する旨を通知する（すなわち前述したインターロック解除信号を送信する）ように構成される。そして、放射線発生装置５５は、インターロック解除信号を受信すると、放射線源５２から放射線を照射させる。
【００７５】
なお、図５では、放射線の照射期間が斜線を付して示されており、放射線の照射が１フレーム目の読み出し処理中に終了する場合が示されているが、放射線の照射が２フレーム目以降にかかる場合もある。また、放射線の照射の開始が、２フレーム目以降になる場合もあり得る。さらに、図５では、画像データＤの読み出し処理を、走査線５の最初のラインＬ１から最終ラインＬｘに向けてオン電圧を印加する走査線５を１ラインずつシフトさせて走査線５の各ラインＬ１〜Ｌｘにオン電圧を順次印加する場合が記載されているが、実際のオン電圧の印加の仕方等の構成例については後で詳しく説明する。
【００７６】
そして、本実施形態では、放射線画像撮影装置１の制御手段２２は、上記のようにして放射線の照射中に読み出した画像データＤに基づいて、放射線発生装置５５から照射された放射線の線量に対応するＥＩが目標値ＥＩＴに達したか否かを検出するようになっている。
【００７７】
すなわち、本実施形態では、制御手段２２は、上記のようにして走査駆動手段１５や読み出し回路１７等を制御して画像データＤの読み出し処理を行わせ、読み出した画像データＤを記憶手段２３（図２参照）に保存すると同時に、上記のようにして検出部Ｐ上に設定した関心領域ＲＯＩ内の各放射線検出素子７から読み出した画像データＤの値に基づいて上記の検出処理を行うようになっている。
【００７８】
その際、事前に、撮影部位ごとの目標値ＥＩＴと、その目標値ＥＩＴに対応する画像データＤの統計値Ｄst（以下、この統計値を目標統計値ＤstＴという。）との関係を予め割り出しておき、制御手段２２は、読み出される画像データＤの統計値Ｄstが目標統計値ＤstＴに達したか否かを判定するように構成される。読み出される画像データＤの統計値Ｄstが目標統計値ＤstＴに達したということは、放射線発生装置５５から照射された放射線の線量に対応するＥＩが目標値ＥＩＴに達したことを意味する。
【００７９】
具体的には、事前に、上記の撮影部位ごとの目標値ＥＩＴの決定処理（すなわち上記の（１）から（７）までの処理）を行う際、上記の（６）の処理では、（４）の処理で生成した放射線画像の各画素の画素値のうち、設定した関心領域ＲＯＩ内の各画素の画素値を例えばヒストグラムに投票する等して平均値や中間値、最頻値等としてそれらの統計値を算出したが、それ以前の（４）の処理において放射線画像撮影装置１の各放射線検出素子７から画像データＤを読み出した時点で、同様に、読み出した各画像データＤのうち、上記ようにして設定した関心領域ＲＯＩ内の各放射線検出素子７から読み出された画像データＤをヒストグラムに投票する等して統計値Ｄstを算出する。
【００８０】
そして、これらの画像データＤに基づいて最終的に（７）の処理でＥＩの目標値ＥＩＴが決定されるため、上記のようにして算出した画像データＤの統計値Ｄstは、結局、当該撮影部位における画像データＤの統計値Ｄstの目標統計値ＤstＴということになる。このようにして、撮影部位ごとに上記の（１）から（７）の各処理を行って目標値ＥＩＴを決定する際に、関心領域ＲＯＩにおける画像データＤの統計値Ｄstを算出しておくことで、撮影部位ごとの目標統計値ＤstＴを予め割り出しておくことができる。
【００８１】
本実施形態では、放射線画像撮影装置１の制御手段２２は、撮影の際、上記のように放射線発生装置５５から放射線を照射している最中に画像データＤの読み出し処理を行わせて、読み出した画像データＤを記憶手段２３に保存していくが、それと同時に、関心領域ＲＯＩ内の各放射線検出素子７から読み出した画像データＤをヒストグラムに投票する等して画像データＤの統計値Ｄstを算出する。そして、例えば図６に示すように、算出した画像データＤの統計値Ｄstが、上記のようにして予め割り出された当該撮影部位の目標統計値ＤstＴに達した（或いはそれを越えた）時点で、放射線発生装置５５から照射された放射線の線量に対応するＥＩが目標値ＥＩＴに達したと判定する。
【００８２】
なお、図６の横軸ｎは、走査線５のライン番号を表す。すなわち、例えば図５に示したように、走査線５のラインＬ１〜Ｌa-1にオン電圧が順次印加されて画像データＤの読み出し処理が行われている間は、放射線発生装置５５からの放射線の照射が開始されていないため、図６に示すように、ライン番号ａ−１の走査線５のラインＬa-1にオン電圧を印加して読み出された画像データＤは０に近い値になる。
【００８３】
そして、放射線発生装置５５からの放射線の照射が開始されると（図５の斜線部分参照）、図６に示すように、走査線５の各ラインＬｎに接続されている各放射線検出素子７から読み出された画像データＤから算出される統計値Ｄstが、放射線の照射開始後の経過時間が長いほど大きくなっていき、例えば走査線５のラインＬｂにオン電圧を印加して読み出された画像データＤから算出される統計値Ｄstが目標統計値ＤstＴに達する（或いはそれを越える）。そして、制御手段２２は、その時点で、放射線発生装置５５から照射された放射線の線量に対応するＥＩが目標値ＥＩＴに達したと判定する。
【００８４】
そして、本実施形態では、制御手段２２は、読み出した画像データＤの統計値Ｄstが、このように所定の閾値すなわち目標統計値ＤstＴ以上になった時点で、放射線発生装置５５に対して放射線の照射終了を指示するようになっている。放射線発生装置５５は、放射線画像撮影装置１から上記の指示を表す信号が送信されてくると、放射線源５２からの放射線の照射を停止させる。そのため、図５に示したように、その時点で放射線の照射が終了させることが可能となる。
【００８５】
［効果］
以上のように、本実施形態に係る放射線画像撮影装置１によれば、上記のように構成することで、放射線発生装置５５から照射された放射線の線量に対応するＥＩが目標値ＥＩＴに達したか否かの検出を、放射線画像撮影装置１に線量計等の新たな手段を設けることなく、放射線画像撮影装置１の基本的な構成を利用して行うことが可能となる。
【００８６】
そして、このようにして、放射線発生装置５５から照射された放射線の線量に対応するＥＩが目標値ＥＩＴに達した時点で、放射線発生装置５５からの放射線の照射が的確に停止されるため、国際規格ＩＥＣ６２４９４−１  Ｅｄ．１．０に則った撮影を行うことが可能となり、被写体である患者に照射する放射線の線量を的確に低減し、かつ、当該撮影で得られた画像データＤに基づいて適切な放射線画像を生成することが可能となる。
【００８７】
なお、目標統計値ＤstＴ等の情報を、予めコンソール５８（図３参照）側で有しておき、撮影ごとに、コンソール５８から当該撮影部位に対応する目標統計値ＤstＴ等の情報を放射線画像撮影装置１に送信するように構成することが可能である。この場合、コンソール５８は、これらの情報を、例えば図７に示すようなテーブルの形で有しておくように構成することが可能である。そして、このように構成する場合は、放射線画像撮影装置１の制御手段２２は、コンソール５８から送信されてきた目標統計値ＤstＴの情報に基づいて上記の検出処理を行うように構成される。
【００８８】
また、撮影部位ごとの目標統計値ＤstＴ等の情報（図７参照）を、予め放射線画像撮影装置１の制御手段２２が例えばＲＯＭに記憶させておく等して有しておくように構成することも可能である。このように構成する場合は、コンソール５８から次の撮影に関する撮影部位等の情報が送信されてくると、それに基づいて放射線画像撮影装置１の制御手段２２がその撮影部位に対応する目標統計値ＤstＴの情報を読み出して上記の検出処理に用いるように構成される。なお、図７におけるテーブルでは、関心領域ＲＯＩが、放射線画像撮影装置１の検出部ｐ上に矩形状に設定される関心領域ＲＯＩの、対角線上に位置する各頂点（すなわち隣り合わない各頂点）の各放射線検出素子７の位置を示すことによって特定されている。
【００８９】
［実際の撮影に適用する際の構成例について］
ところで、本実施形態に係る放射線画像撮影装置１の原理的な構成は、上記の通りであるが、これを実際の撮影に適用する際に生じ得る問題を解決するための構成例について、いくつか具体例を挙げて説明する。
【００９０】
［構成例１：画像データＤの読み出し処理におけるオン電圧の印加の仕方について］
上記のように撮影部位ごとに設定される関心領域ＲＯＩが、例えば図８に示すように、放射線画像ｐ中やそれに対応する放射線画像撮影装置１の検出部Ｐ（図２参照）中で狭い範囲に設定されるような場合がある。なお、図８における１、ｎ、ｘは、それぞれライン番号が１、ｎ、ｘの走査線５（すなわち走査線５のラインＬ１、Ｌｎ、Ｌｘ）を表している。
【００９１】
このような場合、図５に示したように、走査線５の最初のラインＬ１からオン電圧を順次印加して画像データＤの読み出し処理を行うと、例えば図９（Ａ）に示すように、関心領域ＲＯＩ内の走査線５（図９（Ａ）や後述する図９（Ｂ）ではライン番号がＭ〜Ｎの範囲の走査線５）にオン電圧が印加されて画像データＤを読み出す時点では既に、読み出された画像データＤの統計値Ｄstが目標統計値ＤstＴを越えてしまっている可能性がある。
【００９２】
すなわち、画像データＤの読み出し処理が開始された後、関心領域ＲＯＩ内の走査線５にオン電圧が印加されるまでに時間が長くかかると、関心領域ＲＯＩ内の走査線５にオン電圧が印加された時点では、読み出された画像データＤの統計値Ｄstが目標統計値ＤstＴを越えてしまい、放射線発生装置５５から照射された放射線の線量に対応するＥＩが目標値ＥＩＴを越えてしまっている可能性があるが、これでは放射線発生装置５５から照射された放射線の線量に対応するＥＩが目標値ＥＩＴに達した時点で放射線発生装置５５からの放射線の照射を停止させるという目的を達成することができない。
【００９３】
また、例えば図９（Ｂ）に示すように、関心領域ＲＯＩ内の各走査線５にオン電圧が印加されて画像データＤを読み出す時点では、画像データＤの統計値Ｄstが目標統計値ＤstＴに達しなかったが、オン電圧を走査線５の最終ラインＬｘに印加した後、再度、走査線５の最初のラインＬ１から順次印加して、再度、関心領域ＲＯＩ内の走査線５にオン電圧が印加されて画像データＤを読み出す時点では、画像データＤの統計値Ｄstが目標統計値ＤstＴを越えてしまっている可能性がある。
【００９４】
このように、関心領域ＲＯＩ内の走査線５にオン電圧が印加された後、再び関心領域ＲＯＩ内の走査線５にオン電圧が印加されるまでに時間が長くかかる場合も、放射線発生装置５５から照射された放射線の線量に対応するＥＩが目標値ＥＩＴに達した時点で放射線発生装置５５からの放射線の照射を停止させるという目的を達成することができなくなる。
【００９５】
そこで、例えば、画像データＤの読み出し処理におけるオン電圧の印加の仕方を変えることによって、上記の問題が生じることを防止することができる。すなわち、画像データＤの読み出し処理を行う際に、各走査線５にオン電圧を順次印加する順番を、図５に示したように走査線５の最初のラインＬ１から順に走査線５を１ラインずつシフトさせながらオン電圧を印加するのではなく、例えば図１０に示すように、所定本数の走査線５ごとに、いわば飛び飛びにオン電圧を順次印加するように構成することが可能である。
【００９６】
この場合、例えば、前述した走査駆動手段１５のゲートドライバー１５ｂ（図２参照）が、実機では、例えば１２８本や２５６本ずつ走査線５が接続された図示しない複数のゲートＩＣで形成されていることを利用して、上記のようなオン電圧の印加の仕方を実現することができる。
【００９７】
すなわち、例えば走査線５が１２８本ずつ接続されたゲートＩＣでゲートドライバー１５ｂが形成されている場合、図１０に示すように、例えば、１番目のゲートＩＣの第１端子に接続されている走査線５のラインＬ１にオン電圧を印加して画像データＤを読み出した次のタイミングで、２番目のゲートＩＣの第１端子に接続されている走査線５のラインＬ１２９にオン電圧を印加して画像データＤを読み出す。そして、次のタイミングでは、３番目のゲートＩＣの第１端子に接続されている走査線５のラインＬ２５７にオン電圧を印加していくようにして、まず、各ゲートＩＣの第１端子に接続されている走査線５にオン電圧を順次印加して画像データＤを読み出す。
【００９８】
そして、最後のゲートＩＣの第１端子に接続されている走査線５にオン電圧を印加した次のタイミングでは、１番目のゲートＩＣの第２端子に接続されている走査線５のラインＬ２にオン電圧を印加して画像データＤを読み出す。そして、その次のタイミングでは、２番目のゲートＩＣの第２端子に接続されている走査線５のラインＬ１３０にオン電圧を印加していくようにして、各ゲートＩＣの第２端子に接続されている走査線５にオン電圧を順次印加して画像データＤを読み出す。例えば、このように構成することで、所定本数の走査線５ごとに飛び飛びにオン電圧を印加しながら画像データＤの読み出し処理を行うように構成することができる。
【００９９】
このように構成することで、上記のように、画像データＤの読み出し処理の開始後、関心領域ＲＯＩ内の走査線５にオン電圧が印加されるまでに時間が長くかかってしまったり（図９（Ａ）参照）、或いは、関心領域ＲＯＩ内の走査線５にオン電圧が印加された後、再び関心領域ＲＯＩ内の走査線５にオン電圧が印加されるまでに時間が長くかかってしまうような事態（図９（Ｂ）参照）が生じることを的確に防止することが可能となる。
【０１００】
そして、上記のように構成することで、画像データＤの読み出し処理を開始してから関心領域ＲＯＩ内の走査線５にオン電圧が印加されるまでの時間を短縮し、また、関心領域ＲＯＩ内の走査線５にオン電圧が印加された後、再び関心領域ＲＯＩ内の走査線５にオン電圧が印加されるまでの時間を短縮することが可能となるため、放射線画像撮影装置１の制御手段２２が、上記のように、関心領域ＲＯＩ内の各走査線５から読み出される画像データＤの統計値Ｄstを的確に監視して、画像データＤの統計値Ｄstが目標統計値ＤstＴに達したか否かを的確に判定することが可能となる。そのため、放射線発生装置５５から照射された放射線の線量に対応するＥＩが目標値ＥＩＴに達した時点で放射線発生装置５５からの放射線の照射を停止させるという目的を的確に達成することが可能となる。
【０１０１】
なお、上記のように画像データＤの読み出し処理において所定本数の走査線５ごとにオン電圧を印加するように構成する際の所定本数を、撮影部位ごとに変えるように構成することも可能である。
【０１０２】
［構成例２：オフセットデータＯを除去することについて］
一方、上記の原理的な構成では、読み出された画像データＤの統計値Ｄstに基づいて、放射線発生装置５５から照射された放射線の線量に対応するＥＩが目標値ＥＩＴに達したか否かの検出処理を行うことについて説明したが、前述したように、読み出される画像データＤには、暗電荷に起因するオフセット分が重畳されている。そして、このオフセット分は、各放射線検出素子７（図２参照）の温度等に依存して増減し、放射線検出素子７に同じ線量の放射線が照射されても、このオフセット分の増減により、読み出される画像データＤの値が大きくなったり小さくなったりする。
【０１０３】
そこで、上記のように、読み出される画像データＤの統計値Ｄstに基づいて検出処理を行う代わりに、読み出された画像データＤから前述したオフセットデータＯを減算して除去し、算出された真の画像データＤ＊（Ｄ＊＝Ｄ−Ｏ）やその統計値Ｄ＊stに基づいて検出処理を行うように構成することが可能である。
【０１０４】
真の画像データＤ＊は、暗電荷に起因するオフセット分には依存せず、放射線の照射により各放射線検出素子７内で発生した電荷のみに依存する値であるため、真の画像データＤ＊の統計値Ｄ＊stに基づいて検出処理を行うように構成することで、画像データＤの統計値Ｄstに基づいて検出処理を行う場合に比べて、放射線発生装置５５から照射された放射線の線量に対応するＥＩが目標値ＥＩＴに達したか否かの検出処理をより的確に行うことが可能となる。
【０１０５】
なお、この場合、例えば、上記のように、放射線画像撮影装置１が、放射線発生装置５５からの照射開始信号を受信して、各放射線検出素子７のリセット処理を行う状態から画像データＤの読み出し処理を行う状態に切り替えた後、すぐに放射線発生装置５５にインターロック解除信号を送信するのではなく、放射線発生装置５５から放射線が照射されない状態で１フレーム分或いは数フレーム分の読み出し処理（図５参照）を行ってオフセットデータＯを読み出しておいてから放射線発生装置５５にインターロック解除信号を送信するように構成することが可能である。
【０１０６】
その場合、前述したように、オフセットデータＯの読み出し処理は、放射線発生装置５５から放射線を照射しない状態で、画像データＤの読み出し処理と全く同じシーケンスで各ＴＦＴ８をオン／オフさせ、読み出し回路１７等の読み出し動作を行わせることで行うことができる。そのため、上記のように、放射線発生装置５５から放射線が照射されない状態で画像データＤの読み出し処理を行った場合に読み出されるデータがオフセットデータＯということになる。
【０１０７】
このように構成すれば、読み出した１フレーム分のオフセットデータＯを用い、或いは読み出した１フレーム分のオフセットデータＯの各放射線検出素子７ごとの平均値をオフセットデータＯとして用いて、上記のようにして真の画像データＤ＊やその統計値Ｄ＊stを算出することが可能となる。
【０１０８】
また、例えば、オフセットデータＯを、画像データＤの読み出し処理の後に行うように構成されている場合、上記の検出処理を行う際には、まだオフセットデータＯが読み出されておらず真の画像データＤ＊等の算出に使用することができない。そこで、そのような場合には、例えば仮のオフセットデータＯを予め各放射線検出素子７ごとに設定しておき、この仮のオフセットデータＯを用いて、上記のようにして真の画像データＤ＊やその統計値Ｄ＊stを算出することも可能である。
【０１０９】
［構成例３：ＴＦＴ８を介してリークする電荷に対する措置について］
［構成例３−１：ＴＦＴ８を遮光することについて］
また、各放射線検出素子７から読み出される画像データＤには、上記のような暗電荷に起因するオフセット分（或いはそれに対応するオフセットデータＯ）のほか、他の放射線検出素子７からＴＦＴ８を介してリークする電荷に起因するデータ（以下、このデータをリークデータｄleakという。）も重畳されている。
【０１１０】
すなわち、ＴＦＴ８は、走査線５を介して走査駆動手段１５のゲートドライバー１５ｂからオフ電圧を印加されることでオフ状態とされるが、図１１に示すように、この状態でも、放射線検出素子７内に蓄積された電荷の信号線６への流出を完全に阻止することができず、僅かながら各ＴＦＴ８を介して各放射線検出素子７（…、７i-1、７i、７i+1、７i+2、…）からそれぞれ電荷ｑが信号線６に流出する。
【０１１１】
そして、増幅回路１８を含む読み出し回路１７に画像データＤの読み出し処理の場合と同じ読み出し動作を行わせた場合に読み出される、これらの電荷ｑに対応するデータがリークデータｄleakである。すなわち、リークデータｄleakとは、各ＴＦＴ８をオフ状態とさせた状態で読み出し回路１７に読み出し動作を行わせた場合に読み出されるデータであり、読み出し回路１７が接続されている信号線６に接続されている各放射線検出素子７から各ＴＦＴ８を介してリークした電荷ｑの合計値に相当するデータである。
【０１１２】
また、放射線画像撮影装置１に放射線が照射されると、照射された放射線がシンチレーター３（図１参照）で可視光等の光に変換されて放射線検出素子７に照射され、放射線検出素子７内で放射線の照射に起因する電荷が発生するが、その光がＴＦＴ８に到達すると、ＴＦＴ８を介して信号線６にリークする電荷ｑの量が増加することが分かっている（例えば国際公開第２０１１／１３５９１７号パンフレット等参照）。そのため、放射線画像撮影装置１に放射線が照射されると、読み出されるリークデータｄleakの値も大きくなる。
【０１１３】
ここで、このような状況の下で、上記のように放射線検出素子１に放射線が照射されている最中にゲートドライバー１５ｂから走査線５にオン電圧を順次印加して画像データＤの読み出し処理を行う場合を考える。そして、走査駆動手段１５のゲートドライバー１５ｂから各走査線５にオン電圧を順次印加していき、例えば走査線５のラインＬiにオン電圧が印加されたとする。
【０１１４】
この場合、図１２に示すように、オン電圧が印加された走査線５のラインＬiに接続されているＴＦＴ８がオン状態となり、放射線検出素子７i内に蓄積された電荷Ｑが信号線６に放出されて増幅回路１８のコンデンサー１８ｂに流入することで、放射線検出素子７iからの画像データＤの読み出し処理が行われる。しかし、その際、上記のように、この信号線６に接続されている他の各ＴＦＴ８（すなわちオフ状態の各ＴＦＴ８）を介して各放射線検出素子７（…、７i-1、７i+1、７i+2、…）からリークした電荷ｑもそれぞれ増幅回路１８のコンデンサー１８ｂに流れ込む。
【０１１５】
そのため、放射線検出素子７iから読み出される画像データＤ（図１２参照）にはリークデータｄleak（図１１参照）が重畳されていることになる。そして、上記のように、放射線画像撮影装置１に放射線が照射されるとリークデータｄleakの値も大きくなり、放射線検出素子７やＴＦＴ８の構成等によっては画像データＤに比較的大きなリークデータｄleakが重畳されている可能性がある。そして、そのような場合、上記のように放射線画像撮影装置１から放射線発生装置５５に対して放射線の照射終了を指示するタイミングが最適なタイミングからずれてしまう可能性がある。
【０１１６】
そこで、このような問題が生じることを回避する方法の１つとしては、ＴＦＴ８にシンチレーター３からの光が到達しないようにするために、例えばＴＦＴ８のシンチレーター３に対向する側に遮光剤を塗布したり、遮光層を形成したりすることで、ＴＦＴ８を遮光するように構成することが可能である。
【０１１７】
このように構成すれば、遮光されたＴＦＴ８を介して各放射線検出素子７から信号線６にリークする電荷ｑを非常に小さくすることが可能となり、読み出される画像データＤに重畳されるリークデータｄleakを非常に小さくして、上記のタイミングに与える影響を無視できる程度に小さくすることが可能となる。そのため、放射線画像撮影装置１の制御手段２２は、読み出された画像データＤ（或いは真の画像データＤ＊）やその統計値Ｄst（或いは統計値Ｄ＊st）に基づいて放射線発生装置５５から照射された放射線の線量に対応するＥＩが目標値ＥＩＴに達したか否かを的確に判定して、適切なタイミングで放射線発生装置５５に対して放射線の照射終了を指示することが可能となる。
【０１１８】
［構成例３−２：リークデータｄleakの検出等について］
また、上記のようにＴＦＴ８を遮光する代わりに、放射線画像撮影装置１の制御手段２２が、画像データＤの読み出し処理においてゲートドライバー１５ｂからある走査線５（例えば走査線５のラインＬi（図１２参照））にオン電圧を印加させる直前または直後の全てのＴＦＴ８がオフ状態とされている時点（図１１参照）で読み出し回路１７を制御してリークデータｄleakの読み出し処理を行わせ、読み出したリークデータｄleakを、当該走査線５に接続された各放射線検出素子７から読み出された画像データＤ（或いは真の画像データＤ＊。以下同じ）から減算したデータを用いて上記の検出処理を行うように構成することも可能である。
【０１１９】
すなわち、このように構成する場合、放射線が照射されている最中に、いずれかの走査線５にオン電圧が印加されて行われる画像データＤの読み出し処理と、全てのＴＦＴ８がオフ状態とされた状態で行われるリークデータｄleakの読み出し処理とが交互に行われる状態になる。
【０１２０】
そして、このように構成すれば、読み出された画像データＤからリークデータｄleakを減算することで、画像データＤに重畳されているリークデータｄleakの影響を除去することが可能となる。そのため、放射線画像撮影装置１の制御手段２２は、画像データＤからリークデータｄleakを減算して算出されるデータやその統計値に基づいて放射線発生装置５５から照射された放射線の線量に対応するＥＩが目標値ＥＩＴに達したか否かを的確に判定して、適切なタイミングで放射線発生装置５５に対して放射線の照射終了を指示することが可能となる。
【０１２１】
［構成例４：本実施形態における放射線画像の生成処理について］
［構成例４−１：放射線画像撮影装置側の構成］
ところで、本実施形態のように、放射線発生装置５５から放射線を照射している最中に放射線画像撮影装置１で画像データＤの読み出し処理を行うように構成すると、例えば前述した図５を見れば分かるように、放射線の照射が始まる前に読み出し処理が終了している走査線５（図５では走査線５のラインＬ１〜Ｌa-1）や、放射線の照射中に読み出し処理が行われる走査線５（図５では走査線５のラインＬａ〜Ｌｂ）や、放射線の照射が終了した後で読み出し処理が行われる走査線５（図５では走査線５のラインＬb+1〜Ｌｘ）ができる。
【０１２２】
なお、以下では、図５に示したように、１フレーム分の読み出し処理を、走査線５の最初のラインＬ１から順に最終ラインＬｘまでオン電圧を印加して画像データＤを読み出すように構成する場合について説明するが、図１０に示したように、所定本数の走査線５ごとにオン電圧を順次印加して１フレーム分の読み出し処理を行うように構成する場合も同様に説明される。
【０１２３】
上記の場合、放射線の照射が終了した後で読み出し処理が行われる走査線５のラインＬb+1〜Ｌｘに接続されている各放射線検出素子７については、放射線の照射により各放射線検出素子７内で発生した電荷を当該フレームでの読み出し処理（図５の場合は１フレーム目の読み出し処理）で読み出すことができる。そのため、当該フレームでの読み出し処理で読み出された画像データＤを、当該放射線検出素子７の画像データＤとすることができる。
【０１２４】
しかし、放射線の照射が始まる前に読み出し処理が終了している走査線５のラインＬ１〜Ｌa-1に接続されている各放射線検出素子７については、１フレーム目の読み出し処理では、放射線の照射前にすでに読み出し処理が終了してしまっている。そのため、その次の２フレーム目の読み出し処理で、当該放射線検出素子７から画像データＤを読み出すしかない。
【０１２５】
また、放射線の照射中に読み出し処理が行われる走査線５のラインＬａ〜Ｌｂに接続されている各放射線検出素子７については、１フレーム目の読み出し処理で、それまでの放射線の照射により各放射線検出素子７内で発生した電荷が読み出されるが、読み出し処理後も放射線の照射が続く。そのため、１フレーム目の読み出し処理後の放射線の照射により各放射線検出素子７内で発生した電荷は、２フレーム目の読み出し処理で読み出すしかない。すなわち、放射線の照射中に読み出し処理が行われる走査線５のラインＬａ〜Ｌｂに接続されている各放射線検出素子７については、放射線の照射により各放射線検出素子７内で発生した電荷が、１フレーム目の読み出し処理と２フレーム目の読み出し処理の２回に分けて読み出されることになる。
【０１２６】
そこで、本実施形態の上記の構成、すなわち放射線の照射中に画像データＤの読み出し処理を行う構成を採用した場合に上記のような現象が生じることを考えると、結局、図５の場合には、１フレーム目で読み出された画像データＤと２フレーム目で読み出された画像データＤとを加算すれば本来の画像データＤを復元することができる。
【０１２７】
また、放射線の照射が複数フレームに跨る場合には、放射線の照射が開始されてから終了するまでの各フレームの読み出し処理と、さらに１フレーム分の読み出し処理を行い、各フレームで読み出された画像データＤを加算すれば、本来の画像データＤを復元することが可能となる。なお、前述したように、各フレームで読み出される画像データＤにはそれぞれオフセットデータＯ（およびリークデータｄleak）が重畳されているため、それらを除去する処理が必要になるが、その処理については後で説明する。
【０１２８】
以上のことを実現するために、本実施形態の上記の構成を採用する場合には、放射線画像撮影装置１の制御手段２２は、上記のようにして放射線検出素子７から読み出した画像データＤ（或いは真の画像データＤ＊）やその統計値Ｄst（或いは統計値Ｄ＊st）に基づいて放射線発生装置５５から照射された放射線の線量に対応するＥＩが目標値ＥＩＴに達したと判定し、放射線発生装置５５に対して放射線の照射終了を指示した時点以降も、当該フレームの読み出し処理（図５の場合は１フレーム目の読み出し処理）を続行する。
【０１２９】
そして、当該フレームの読み出し処理が終了すると、さらに１フレーム分の読み出し処理（図５の場合は２フレーム目の読み出し処理）を行わせるように構成することが望ましい。
【０１３０】
そして、このようにして、放射線の照射が開始されてから終了するまでの各フレームの読み出し処理と、さらに１フレーム分の読み出し処理を行うと、放射線画像撮影装置１の制御手段２２は、各フレームごとに読み出した各画像データＤと、前述したオフセットデータＯ（およびリークデータｄleak）を画像処理装置５８（本実施形態では画像処理装置としてのコンソール５８）に送信する。なお、以下で説明する真の画像データＤ＊の算出までを放射線画像撮影装置１で行って真の画像データＤ＊を画像処理装置５８に送信するように構成することも可能である。
【０１３１】
［構成例４−２：画像処理装置側の構成］
そして、画像処理装置５８は、放射線画像撮影装置１から各フレームごとの各画像データＤとオフセットデータＯ（およびリークデータｄleak）が送信されてくると、各フレームで読み出された各画像データＤを放射線検出素子７ごとに加算し、加算した値を当該放射線検出素子７の画像データＤとする。
【０１３２】
また、前述したように、各フレームで読み出される画像データＤにはそれぞれオフセットデータＯ（およびリークデータｄleak）が重畳されているため、オフセットデータＯ（およびリークデータｄleak）を全フレーム数（放射線の照射が開始されてから終了するまでのフレーム数＋１フレーム）倍し、上記のように加算して算出した放射線検出素子７の画像データＤから減算して、放射線検出素子７ごとに真の画像データＤ＊を算出する。そして、算出した真の画像データＤ＊に対してゲイン補正や欠陥画素補正、撮影部位に応じた階調処理等の精密な画像処理を行って放射線画像を生成するように構成される。
【０１３３】
放射線画像撮影装置１において本実施形態の上記の構成を採用すると、上記のように、各放射線検出素子７から本来読み出されるべき画像データＤが、各フレームの読み出し処理で分割されて読み出されることになるが、このように構成すれば、放射線画像撮影装置１で各フレームごとに得られた画像データＤから本来の画像データＤを復元することが可能となり、復元した画像データＤに対して適切な画像処理を行って放射線画像を適切に生成することが可能となる。
【０１３４】
［第２の実施の形態］
上記のように、放射線画像撮影装置１の基本的な構成を利用して放射線発生装置５５から照射された放射線に対応するＥＩが目標値ＥＩＴに達したか否かを検出するための構成として、上記の第１の実施形態では、図５や図１０等に示したように、放射線発生装置５５（図３参照）から放射線画像撮影装置１に放射線を照射している最中に、放射線画像撮影装置１の検出部Ｐ（図２参照）内の全ての走査線５を対象として、各走査線５にオン電圧を順次印加して画像データＤの読み出し処理を行い、関心領域ＲＯＩ内の各放射線検出素子７から読み出した画像データＤ（或いは真の画像データＤ＊）やその統計値Ｄst（或いは統計値Ｄ＊st）に基づいて放射線発生装置５５から照射された放射線の線量に対応するＥＩが目標値ＥＩＴに達したか否かを判定するように構成する場合について説明した。
【０１３５】
第２の実施形態では、第１の実施形態の場合と同様に、放射線発生装置５５から放射線を照射している最中に放射線画像撮影装置１で画像データＤの読み出し処理を行うが、第１の実施形態のように、放射線画像撮影装置１の検出部Ｐ内の全ての走査線５を対象として、各走査線５にオン電圧を順次印加して画像データＤの読み出し処理を行うのではなく、例えば図１３に示すように、関心領域ＲＯＩを通る走査線５の中から所定の走査線５＊を選択し、これらの所定の走査線５＊にのみオン電圧を順次印加して画像データＤの読み出し処理を行うように構成する場合について説明する。
【０１３６】
そして、所定の走査線５＊以外の走査線５（なおこの所定の走査線５＊以外の走査線５には関心領域ＲＯＩ内の所定の走査線５以外の走査線５だけでなく関心領域ＲＯＩ以外の領域の走査線５も含む。）については、放射線が照射されている最中は画像データＤの読み出し処理を行わず、走査駆動手段１５のゲートドライバー１５ｂからオフ電圧を印加し、ＴＦＴ８をオフ状態にして、放射線の照射により各放射線検出素子７内で発生した電荷を各放射線検出素子７内に蓄積させるように構成される。
【０１３７】
なお、上記の所定の走査線５＊を撮影部位ごと（すなわち関心領域ＲＯＩごと）に選択するように構成することも可能であり、また、撮影部位ごとに設定される関心領域ＲＯＩのいずれの関心領域ＲＯＩにも、必ず少なくとも１本或いは所定本数の所定の走査線５＊が含まれるように、上記の所定の走査線５＊を予め決めておくように構成することも可能である。
【０１３８】
以下、具体的に説明する。図１４は、例えば走査線５のラインＬ３、Ｌ６、Ｌ９が上記の所定の走査線５＊として選択された場合に、撮影時に各走査線にオン電圧を印加するタイミング等を表すタイミングチャートである。なお、図１４においても、放射線の照射期間が斜線を付して示されている。また、以下の第２の実施形態の説明においても、第１の実施形態で説明した原理からの変形等を適宜採用することが可能である。
【０１３９】
この場合も、放射線画像撮影装置１の制御手段２２は、コンソール５８から、これから行う撮影に関する撮影部位等の情報が送信されてくると、その撮影部位に対応する関心領域ＲＯＩを検出部Ｐ上に設定する（図１３等参照）。そして、制御手段２２は、撮影前に、ゲートドライバー１５ｂから走査線５の各ラインＬ１〜Ｌｘにオン電圧を印加して各放射線検出素子７のリセット処理を行わせる。
【０１４０】
そして、制御手段２２は、放射線技師等の操作者が放射線発生装置５５の曝射スイッチ５６のボタンを全押しして放射線発生装置５５からの照射開始信号を受信すると、その時点で行っている１フレーム分のリセット処理Ｒｆ（図４参照）を最後まで行った後で（すなわち走査線５の最終ラインＬｘにオン電圧を印加するまで行った後で）各放射線検出素子７のリセット処理を終了させる。
【０１４１】
上記の第１の実施形態では、この後、制御手段２２は、図５に示したように、走査駆動手段１５から走査線５の各ラインＬ１〜Ｌｘにオン電圧を順次印加させて画像データＤの読み出し処理を開始させた。しかし、第２の実施形態では、図１４に示すように、制御手段２２は、この時点で、所定の走査線５＊（図１４では走査線５のラインＬ３、Ｌ６、Ｌ９）にはゲートドライバー１５ｂからオン電圧を順次印加させて画像データＤの読み出し処理を開始させるが、検出部Ｐ内の、所定の走査線５＊以外の他の各走査線５にはゲートドライバー１５ｂからオフ電圧を印加させて各放射線検出素子７内に電荷を蓄積させる電荷蓄積状態に移行させる。
【０１４２】
そして、制御手段２２は、それとともに、放射線発生装置５５に放射線の照射を許容する旨を通知する（すなわち前述したインターロック解除信号を送信する）ように構成される。そして、放射線発生装置５５は、インターロック解除信号を受信すると、放射線源５２から放射線を照射させる。
【０１４３】
そして、本実施形態では、放射線画像撮影装置１の制御手段２２は、上記のようにして放射線の照射中に、所定の走査線５＊にオン電圧を印加して、所定の走査線５＊に接続されている各放射線検出素子７から読み出した画像データＤ（或いは真の画像データＤ＊。以下同じ）やその統計値Ｄst（或いは統計値Ｄ＊st。以下同じ）に基づいて、放射線発生装置５５から照射された放射線の線量に対応するＥＩが目標値ＥＩＴに達したか否かを検出するようになっている。この検出処理については、第１の実施形態と同様である。
【０１４４】
そして、本実施形態においても、制御手段２２は、読み出した画像データＤの統計値Ｄstが所定の閾値以上になった時点で、放射線発生装置５５に対して放射線の照射終了を指示するように構成されるが、その際の所定の閾値も、第１の実施形態の場合と同様に目標統計値ＤstＴとされ、上記のように撮影部位ごとに設定される。
【０１４５】
そして、本実施形態では、放射線画像撮影装置１の制御手段２２は、図１４に示すように、上記のようにして放射線の照射を停止させた後、ゲートドライバー１５ｂから走査線５の各ラインＬ１〜Ｌｘにオン電圧を順次印加させて各放射線検出素子７からの画像データＤの読み出し処理を行うように構成される。
【０１４６】
［効果］
以上のように、本実施形態に係る放射線画像撮影装置１によれば、上記のように構成することで、放射線発生装置５５から照射された放射線の線量に対応するＥＩが目標値ＥＩＴに達したか否かの検出を、放射線画像撮影装置１に線量計等の新たな手段を設けることなく、放射線の照射中に所定の走査線５＊にオン電圧を印加して読み出した画像データＤ等に基づいて行うことが可能となり、放射線画像撮影装置１の基本的な構成を利用して行うことが可能となる。
【０１４７】
そして、このようにして、放射線発生装置５５から照射された放射線の線量に対応するＥＩが目標値ＥＩＴに達した時点で、放射線発生装置５５からの放射線の照射が的確に停止されるため、国際規格ＩＥＣ６２４９４−１  Ｅｄ．１．０に則った撮影を行うことが可能となり、被写体である患者に照射する放射線の線量を的確に低減し、かつ、当該撮影で得られた画像データＤに基づいて適切な放射線画像を生成することが可能となる。
【０１４８】
［実際の撮影に適用する際の構成例について］
次に、本実施形態に係る放射線画像撮影装置１を実際の撮影に適用する際に生じ得る問題を解決するための構成例について具体例を挙げて説明する。なお、上記の第１の実施形態で説明した構成例１（図１０等参照）や構成例２、構成例３−１、構成例３−２（図１１、図１２参照）については、本実施形態に係る放射線画像撮影装置１にも適用することが可能である。
【０１４９】
［構成例５：所定の走査線５＊に接続されている各放射線検出素子７から読み出された画像データＤに対する処理について］
［構成例５−１：画像処理装置側の構成］
上記の所定の走査線５＊に接続されている各放射線検出素子７については、放射線の照射により各放射線検出素子７内で発生した電荷の一部が、放射線の照射中の読み出し処理で画像データＤとして読み出され、放射線の照射により各放射線検出素子７内で発生した電荷のうちの残りの電荷が、放射線の照射終了後の画像データＤの読み出し処理で画像データＤとして読み出される。
【０１５０】
そのため、例えば第１の実施形態で説明した構成例４の場合と同様に、上記の所定の走査線５＊に接続されている各放射線検出素子７から読み出された画像データＤについて、放射線の照射中に読み出した画像データＤと、放射線の照射終了後の画像データＤの読み出し処理で読み出された画像データＤとを加算して本来の画像データＤを復元するように構成することも可能である。
【０１５１】
しかし、本実施形態では、上記のように、所定の走査線５＊以外の走査線５に接続されている各放射線検出素子７の画像データＤとして、放射線の照射終了後の１回の画像データＤの読み出し処理で読み出された画像データＤが用いられるのに対し、所定の走査線５＊に接続されている各放射線検出素子７の画像データＤは、放射線の照射中の読み出し処理と、放射線の照射終了後の画像データＤの読み出し処理の少なくとも２回の読み出し処理で読み出された画像データＤが加算されて復元される。
【０１５２】
そして、よく知られているように、加算する画像データＤが増えるほど画像データＤに重畳されるノイズが大きくなるため、上記のようにして得られた画像データＤ等に基づいて画像処理装置５８で放射線画像ｐを生成すると、放射線画像ｐ中の所定の走査線５＊に対応する画素部分に線状にノイズが大きな部分が現れる場合があり、放射線画像ｐが見づらいものになる場合がある。
【０１５３】
そして、このように放射線画像ｐ上にノイズが大きな画素部分が線状に現れると、読影医等がこの放射線画像ｐを見る際に、撮影されているはずの患者の病変部等がノイズのために見づらくなったり、或いは、本来は病変部等がないにもかかわらずノイズが大きな画素部分に病変部等が写っているように見えてしまい、誤診が生じる虞れがある。
【０１５４】
そこで、そのような場合には、上記のように、所定の走査線５＊に接続されている各放射線検出素子７の画像データＤを、複数回に分けて読み出された画像データＤを加算して復元する代わりに、図１５（Ａ）に示すように、所定の走査線５＊（図５の場合は走査線５のラインＬ３、Ｌ６）に対応する画素部分をいわゆる線欠陥として扱うように構成する方が好ましい。
【０１５５】
すなわち、画像処理装置５８は、放射線画像撮影装置１における上記の所定の走査線５＊については、これらの所定の走査線５＊に接続されている各放射線検出素子７から読み出された画像データＤを破棄するように構成する。そして、検出部Ｐ上でこれらの所定の走査線５＊の近傍の、所定の走査線５＊ではない走査線５（すなわち例えば所定の走査線５＊が走査線５のラインＬ３であれば走査線５のラインＬ２、Ｌ４等、所定の走査線５＊が走査線５のラインＬ６であれば走査線５のラインＬ５、Ｌ７等）に接続されている各放射線検出素子７から読み出された画像データＤに基づいて補間した値を、これらの所定の走査線５＊に接続されている各放射線検出素子７から読み出された画像データＤとする。
【０１５６】
そして、これらの画像データＤから真の画像データＤ＊を算出し、算出した真の画像データＤ＊に対してゲイン補正や欠陥画素補正、撮影部位に応じた階調処理等の精密な画像処理を行って放射線画像を生成するように構成することが可能である。このように構成すれば、上記のような問題が生じることを的確に防止することが可能となる。
【０１５７】
［構成例５−２：放射線画像撮影装置側の構成］
一方、上記の線欠陥が、例えば図１０（Ｂ）に示すように、複数の走査線５に対応する画素部分で連続して生じると、患者の病変部等が、これらの連続して生じている線欠陥の部分に撮影される可能性が生じる。そして、仮に線欠陥が連続して生じている画素部分に患者の病変部等が撮影されていると、上記の画像処理では線欠陥の部分の画像データＤは破棄されてしまうため、上記の画像処理で病変部等が撮影されているはずの画像データＤが破棄されてしまうことになる。しかし、このような事態が生じないようにすべきことは言うまでもない。
【０１５８】
そこで、本実施形態では、放射線画像撮影装置１において、上記の所定の走査線５＊を選択して設定する際に、所定の走査線５＊は、検出部Ｐ（図２参照）上で互いに隣接していない走査線５が選択されるように構成される。このように、所定の走査線５＊として、検出部Ｐ上で互いに隣接していない走査線５を選択するように構成することで、図１０（Ｂ）に示したように線欠陥が連続して生じることを的確に防止することが可能となり、上記のように、放射線画像ｐ中から撮影されているはずの病変部等が画像処理によってなくなってしまうことを的確に防止することが可能となる。
【０１５９】
なお、上記の第１の実施形態では、放射線の照射中に読み出した画像データＤを用いて（すなわち加算して）本来の画像データＤを復元するため、放射線の照射中に読み出した画像データＤを全て記憶手段２３（図２参照）に保存するように構成した。しかし、本実施形態では、上記のように、所定の走査線５＊に接続されている各放射線検出素子７から読み出された画像データＤは、結局、破棄されてしまうため、放射線の照射中に所定の走査線５＊に接続されている各放射線検出素子７から読み出された画像データＤを記憶手段２３に保存する必要はない。
【０１６０】
すなわち、本実施形態の場合には、放射線の照射中に所定の走査線５＊に接続されている各放射線検出素子７から読み出された画像データＤ（或いは真の画像データＤ＊）は、その統計値Ｄst（或いは統計値Ｄ＊st）が閾値である目標統計値ＤstＴ以上になったか否か、すなわち放射線発生装置５５から照射された放射線の線量に対応するＥＩが目標値ＥＩＴに達したか否かを検出するためだけに用いられるように構成することが可能である。
【０１６１】
［第１、第２の実施形態の変形例］
なお、上記の各実施形態では、撮影部位ごとに設定する関心領域ＲＯＩとして１つの領域を設定する場合について説明したが、例えば関心領域ＲＯＩをさらに複数の領域に分割して設定するように構成することも可能である。
【０１６２】
そして、関心領域ＲＯＩを構成する複数の領域のうち、例えば１つの領域或いは全ての領域で読み出された画像データＤ（或いは真の画像データＤ＊。以下同じ）の統計値Ｄst（或いは統計値Ｄ＊st。以下同じ）が閾値以上になった時点で放射線発生装置５５からの放射線の照射を終了させるように構成することも可能であり、各領域での画像データＤの統計値Ｄstの平均値や中間値、最頻値等が閾値以上になった時点で放射線発生装置５５からの放射線の照射を終了させるように構成することも可能であり、検出処理の仕方は適宜決められる。
【０１６３】
また、上記の各実施形態では、放射線画像撮影装置１と放射線発生装置５５との間の信号等の送受信を、コンソール５８等の他の機器も接続されている汎用の中継器５４（図３参照）を介して行う場合について説明したが、放射線画像撮影装置１からの指示を確実に放射線発生装置５５に伝達して放射線発生装置５５からの放射線の照射を的確なタイミングで停止させるようにするために、例えば放射線画像撮影装置１と放射線発生装置５５とを専用回線でつなぐように構成することも可能である。
【０１６４】
さらに、上記の各実施形態において、「撮影部位ごとに関心領域ＲＯＩや閾値を設定する」という場合、これは必ずしも関心領域ＲＯＩや閾値を撮影部位ごとに異なる領域や値に設定することを意味するものではなく、異なる撮影部位に対して同じ関心領域ＲＯＩや閾値が設定される場合をあり得るものであり、撮影部位ごとに、当該撮影部位に適した関心領域ＲＯＩや閾値が設定される。
【０１６５】
なお、本発明が上記の各実施形態や構成例等に限定されず、本発明の趣旨を逸脱しない限り、適宜変更可能であることは言うまでもない。
【符号の説明】
【０１６６】
１  放射線画像撮影装置
３  シンチレーター
５  走査線
５＊  所定の走査線
６  信号線
７  放射線検出素子
８  ＴＦＴ（スイッチ素子）
１５  走査駆動手段
１７  読み出し回路
２２  制御手段
５０  放射線画像撮影システム
５５  放射線発生装置
５８  コンソール（画像処理装置）
Ｄ  画像データ
Ｄ＊  真の画像データ
ｄleak  リークデータ
ＤstＴ  目標統計値（閾値）
Ｄ＊stＴ  目標統計値（閾値）
Ｏ  オフセットデータ
Ｐ  検出部
ｐ  放射線画像
Ｑ、ｑ  電荷
ＲＯＩ  関心領域
【図１】
2015213546.tif 000003
【図２】
2015213546.tif 000004
【図３】
2015213546.tif 000005
【図４】
2015213546.tif 000006
【図５】
2015213546.tif 000007
【図６】
2015213546.tif 000008
【図７】
2015213546.tif 000009
【図８】
2015213546.tif 000010
【図９】
2015213546.tif 000011
【図１０】
2015213546.tif 000012
【図１１】
2015213546.tif 000013
【図１２】
2015213546.tif 000014
【図１３】
2015213546.tif 000015
【図１４】
2015213546.tif 000016
【図１５】
2015213546.tif 000017